(57)【要約】      （修正有）【課題】内容物が少なくなっても自立性があり、ポンプを押す押圧によって容器が歪まず、安定して注出可能なポンプディスペンサー付の包装袋とホルダーとからなる包装容器を得る。【解決手段】ポンプディスペンサー４が脱着可能な口栓３付き包装袋とホルダーとから構成され、内容物を注出可能とした包装容器において、ホルダーは、底部、正面板及び左右の側面板とからなる側壁、口栓に挿嵌する口栓挿嵌部を有する上面板から構成されるホルダー本体５１と、少なくとも上面板と底部に係止し、開口されたホルダー本体５１の背面を覆うホルダー蓋体５２と、からなり、底部は、ホルダー内の水等を排出可能な排水孔、排水孔が下方となるように傾斜した傾斜部、ホルダーが置かれる設置面と排出孔下端との間に隙間を形成する脚部を有している。【選択図】図５
2018203287.tif 000002
【特許請求の範囲】
【請求項１】
ポンプディスペンサーが脱着可能な口栓付き包装袋と、
前記包装袋を収納し自立可能なホルダーと、から構成され、
包装袋を装着した状態で内容物を注出可能とした包装容器において、
ホルダーは、
底部と、正面板および左側面板、右側面板とからなる側壁と、口栓に挿嵌する口栓挿嵌部を有する上面板と、から構成されるホルダー本体と、
少なくとも上面板と底部に係止し、開口されたホルダー本体の背面を覆うホルダー蓋体と、からなり、
底部は、ホルダー内の水等を排出可能な排水孔と、排水孔が下方となるように傾斜した傾斜部と、
ホルダーが置かれる設置面と排出孔下端との間に隙間を形成する脚部と、を有していることを特徴とする包装容器。
【請求項２】
包装袋のポンプ用吸引ホース先端が、包装袋の最下位置としたことを特徴とする請求項１に記載の包装容器。
【請求項３】
包装袋が、下方にガゼットを有するスタンディングパウチであることを特徴とする請求項１又は２に記載の包装容器。
【発明の詳細な説明】
【技術分野】
【０００１】
本発明は、ポンプディスペンサーが脱着可能な口栓を融着した包装袋を収納し、自立し、かつ、収納状態で内容物を注出可能な包装袋スタンドからなる包装容器に関する。
【背景技術】
【０００２】
シャンプーやリンスなど液体を収納する容器に対し、簡素化して詰替え専用に、使用する樹脂量を少なくしたフィルム製容器が、近年多用されている。
特に、使用勝手の良いポンプ式の容器は注出しやすいが高価であることから、ポンプディスペンサー付のブロー成形容器に移し替える為に、フィルム製の安価な詰替用包装袋が使用されてきている。
しかしながら、包装袋からブロー成形容器に内容物を移し替えるのは、面倒であるだけでなく、完全に移せず、残留してしまうことや、移しにくく、内容物をこぼしてしまう問題などがあり、老人や子供などには不向きな使用形態となっていた。
【０００３】
以上の問題に対し、特許文献１では、詰替用包装袋の口部を、ポンプディスペンサーを付け替え可能な口栓を融着し、包装袋そのものを詰め替え用ではなく、通常使用する容器として使用できる包装袋としている。
しかも、底部をガゼットにしてスタンディングパウチにしたり、ホルダーで形状保持したりすることによって、自立性もある容器にすることを提案している。
【０００４】
しかしながら、この容器は、底部をガゼットにしても、内容物が少なくなると、自立性がなくなる。また、ホルダーを使用する場合でも、ホルダーが包装袋全体を覆うものではないので、ポンプを押す押圧によって、ホルダーが変形し、ホルダーから包装袋が抜けてしまう問題が発生しやすい。
さらに、ポンプに繋がる吸引用ホース先端の位置が移動し、安定した吸引性が確保できにくい、などの問題も発生していた。
【先行技術文献】
【特許文献】
【０００５】
【特許文献１】特開２０１５−４２５５３号公報
【発明の概要】
【発明が解決しようとする課題】
【０００６】
そこで、内容物が少なくなっても、自立性があって、ポンプを押す押圧によって容器が歪まないで、安定して注出が可能なポンプディスペンサー付の包装袋とホルダーとからなる包装容器を得ることが本発明の課題である。
【課題を解決するための手段】
【０００７】
本発明の包装容器は、
ポンプディスペンサーが脱着可能な口栓付き包装袋と、
前記包装袋を収納し自立可能なホルダーと、から構成され、
包装袋を装着した状態で内容物を注出可能とした包装容器において、
ホルダーは、
底部と、正面板および左側面板、右側面板とからなる側壁と、口栓に挿嵌する口栓挿嵌部を有する上面板と、から構成されるホルダー本体と、
少なくとも上面板と底部に係止し、開口されたホルダー本体の背面を覆うホルダー蓋体と、からなり、
底部は、ホルダー内の水等を排出可能な排水孔と、排水孔が下方となるように傾斜した傾斜部と、
ホルダーが置かれる設置面と排出孔下端との間に隙間を形成する脚部と、を有していることを特徴とする包装容器である。
【発明の効果】
【０００８】
本発明の包装容器は、包装袋の正面と左側面、右側面を覆う側壁と、後面を蓋体で囲むので、ポンプを押す押圧に対し圧を受けても変形しにくく、確実に内容物を注出可能である。
また、底部に排水孔が形成され、かつ、排水孔が下方となるように傾斜部を設けているので、台所や浴室などの水回りでの使用に際し、容器内に水等が入ったとしても、溜まることはない。
更には、包装袋下端が、傾斜部を有する底部に当接しているので、内容物が少なくなっても、傾斜部に沿って内容物が集まり、確実に最後まで内容物を注出可能である。
【図面の簡単な説明】
【０００９】
【図１】本発明の包装容器に用いる包装袋の一例で、着脱可能なポンプディスペンサーを装着した包装袋の斜視図である。
【図２】本発明の包装容器に用いる包装袋の一例で、口栓付き包装袋と、ポンプディスペンサー、および、嵌合口栓の斜視図である。
【図３】本発明の包装容器に用いるホルダーの一例で、ホルダー本体と、ホルダー蓋体の斜視図である。
【図４】本発明の包装容器の一例で、その斜視図である。
【図５】本発明の包装容器で、そのホルダー蓋体の一例と、形状の異なる他のホルダーの一例を示す斜視図である。
【図６】本発明の包装容器で、別のホルダーの実施形態例を示す背面図や縦断面図、底面図と、ホルダー蓋体の平面図である。
【図７】本発明の包装容器で、図６のホルダー蓋体の実施形態例における部分拡大断面図である。
【発明を実施するための形態】
【００１０】
以下、本発明の包装容器の実施形態例について、図を用いて詳細に説明する。
本発明の包装容器１に挿嵌される包装体は、図１に示すように、フィルムで袋状に形成される包装袋２と、断面が舟形の融着部を有し、前記包装袋２の一辺に融着する口栓３と、口栓に螺合し包装袋２の内容物を注出可能なポンプディスペンサー４とから構成されている。
包装袋２は、図のように、下方にガゼット構造を有するスタンディングパウチの包装袋であることが好ましいが、必ずしもガゼットを設ける必要はない。
ポンプディスペンサー４の吸引ホース４４は、包装袋２の底部のガゼットにまで伸びていることが好ましい。
【００１１】
図２は、本発明の包装容器に用いる包装袋の一例で、口栓付き包装袋２と、ポンプディスペンサー４、および、口栓３の斜視図である。
図２−１の包装袋２は下方の前フィルム２１と後フィルム２２との間に中間フィルム２３のシーラント層を表裏逆の外側にして挟み、融着させたガゼットを組み込んでいる。
又、上方は、前フィルム２１と後フィルム２２とがシーラント層を向かい合わせ、それらの間に口栓３の融着部３２を挟む形で融着している。
【００１２】
図２−２は、口栓３の斜視図である。
口栓３は、中央に注出孔３１を有し、ポンプディスペンサー４のポンプ筒４３が挿入可能
となっている。注出孔３１の外側下方には、外側に横断面が舟形状で中央が注出孔３１によって太くなっているが左右が細くなった舟形の融着部３２を形成している。大きなヒケが発生しにくいように舟形融着部の側面には肉盗み３２１を有していることが好ましい。融着部の上方には、上下２枚のフランジ部３３を有し、２枚のフランジ部３３の間にホルダー本体の上面板を挿嵌可能な隙間を有している。
２枚のフランジ部３３のさらに上方外側には、ポンプディスペンサー４のキャップ４１に螺合する雄ネジ部３４を有している。
【００１３】
図２−３はポンプディスペンサー４の斜視図である。
ポンプディスペンサー４はキャップ４１の上方に、注出ノズル４２が挿嵌されている。
また、キャップ４１の下方には、ポンプ筒４３があって、内部に逆流防止弁やバネなどを内蔵し、注出ノズルを上下させると、ポンプ筒４３内部を通って内容物が下方から上方に吸引、移動し、上方の注出ノズル４２より排出される。
ポンプ筒４３の下方には、吸引ホース４４が挿嵌していて、内容物が溜まりやすい包装袋の最下部近傍にまで先端を伸ばしていると共に、吸引でホースが変形せず、確実に内部を内容物が流れる隙間を確保できるようにしている。
吸引ホース４４は、包装袋の最下位置に保持することによって、確実に内容物を残さずに排出しやすくしている。
【００１４】
図３は、本発明の包装容器に用いるホルダー５の一例で、その斜視図である。
ホルダー５は、ホルダー本体５１とホルダー蓋体５２とから構成されている。
ホルダー本体５１は、下方に底部５１１、上方に口栓３のフランジ部３３に挿嵌し包装袋を固定するコの字状の口栓挿嵌部５１５１を有する上面板５１５を有している。
また、底部５１１と上面板５１５の間には、包装袋の正面を覆う正面板５１２と左側面を覆う左側面板５１３、右側面を覆う右側面板５１４の３つからなる側壁が設けられ、背面が開口された状態の横断面がコの字状に囲んだ形状になっていて、上面板５１５に掛かる力を確実に受けることができる強固な構造となっている。
また、ホルダー蓋体５２は、少なくとも底部５１１に係止する係止爪５２２を有し、開口されたホルダー本体の背面を覆う背面板５２１からなる。
【００１５】
底部５１１は、ホルダー内の水等を排出可能な排水孔５１１２と、排水孔５１１２が下方となるように傾斜した傾斜部５１１１と、外側にホルダーが置かれる設置面の棚板等と排水孔５１１２下端との間に隙間を形成する脚部５１１３とを有している。この時、排水孔５１１２の左右には傾斜部が形成され、テーパー形状となった傾斜面が形成される。
脚部５１１３があることによって、ホルダー内に入った水や内容物が、確実に排水孔５１１２を通って排出され、かつ、空気が底部下面を通ることが出来るので、ホルダー内部が乾燥しやすくなって、カビなどの発生をふせぐようになっている。このようにする為、外気が入る孔と外に出る孔とができるように、排水孔５１１２は２つ以上形成することが望ましい。
なお、包装袋のガゼットを構成する中間フィルムが広がり、ホルダーの底部に当接することになるので、内容物は底部近傍に集まりやすい。この為、ポンプディスペンサーの吸引ホースは底部近傍まで下方に伸ばすことが望ましい。
また、ホルダー蓋体５２と係止する係止孔５１１４を底部に有している。係止孔５１１４は、ホルダー本体５１に係止するホルダー蓋体５２の周縁で挿嵌させるリブや段差の有無にもよるが、左右２箇所に設けることが好ましい。
【００１６】
ホルダーの上面板５１５は、包装袋の口栓３を固定するコの字状の口栓挿嵌部５１５１を有している。この口栓挿嵌部５１５１は、包装袋の口栓に設けられている２枚のフランジ部隙間に挿嵌できるように、薄くなっている。
一方、包装袋を懸架可能にし、包装袋の全荷重を支えるだけではなく、ポンプディスペン
サーを押し下げる押圧の力も合わせて受ける強度が必要である。この為、横断面がコの字形状の側壁が上面板５１５に連結していると共に、底部５１１にもコの字形状の側壁が連結している構造にしている。
上面板５１５の口栓挿嵌部５１５１周縁には、ホルダー蓋体５２の口栓押さえ突起板５２３と係止可能な係止突起、あるいは係止凹部を有し、ポンプディスペンサーを押し下げる押圧時に外れないようにしている。
【００１７】
ホルダー蓋体５２は、ホルダー本体５１に着脱可能に形成されている。下方にはホルダー本体の係止孔５１１４に係止可能な係止爪５２２を有し、上方には口栓押さえ突起板５２３を有している。
口栓押さえ突起板５２３先端は、包装袋口栓の２枚のフランジ部隙間に挿嵌できるように、薄くなっている。また、口栓押さえ突起板５２３周縁に、上面板５１５に係止可能な突起等を有している。
【００１８】
上記、口栓３を有する包装袋２にポンプディスペンサー４を装着した包装体と、ホルダー５を嵌合すると、図４のようになる。
口栓３が包装袋２に融着され、口栓３の注出孔よりポンプディスペンサー４の吸引ホースやポンプ筒が挿入されて螺合し、ホルダー５内部に挿嵌され、口栓３がホルダーの上面板に固定されており、ほとんどボトルと同じ形態に組み立てられる。
【００１９】
ホルダー蓋体５２の周縁には、図５−１で示すホルダー蓋体のようにホルダー本体との当接部内側に周縁突起５２４を設けても良い。周縁突起５２４によって、ホルダー本体とホルダー蓋体との装着を、より強固にすることができる。周縁突起の代わりに挿嵌段差などにしても良い。
【００２０】
ホルダーの形状は、図３のようなホルダー本体の正面板やホルダー蓋体の背面板が平面になる形状だけではなく、正面板も背面板も３次元形状のものであってもかまわない。
図５−２は、正面板や背面板の上方が中心軸に近接した形状のホルダーの一例で、このようにすると、よりボトル感覚の容器にすることができる。この形状の他、中央をくびれた瓢箪状の形状など、自由な形のホルダーにすることもできる。
【００２１】
図６、図７は、別の実施形態で、ホルダー本体５１とホルダー蓋体５２の係止方法に、バネ性を有するバネ係止爪５２３１を使用してロックする一例を示す包装容器の形態例である。
図６−１は、ホルダー蓋体５２側から見える背面図である。上方の中央に口栓押さえ突起板５２３を有し、下方左右に係止爪５２２を設けている。
【００２２】
図６−２は、図６−１のＢ−Ｄ面で切った包装容器の縦断面図である。ホルダー本体５１の上面板５１５に設けられた口栓挿嵌部５１５１の先端にはバネ係止爪５２３１が係止可能な係止部５１５２が形成されていて、ホルダー蓋体５２のバネ係止爪５２３１が係止部５１５２に挿嵌し、係合可能になっている。下方では、係止爪５２２がホルダー本体５１の係止孔５１１４に係止している。
ホルダー蓋体５２の周縁内側には、一部を除いて全周に亘って周縁突起５２４があって、ホルダー本体５１の内面周囲に挿嵌するようになっている。
【００２３】
図６−３は、包装容器の底面図である。ホルダー蓋体５２の下方に設けられた左右の係止爪５２２がホルダー本体５１の底部に設けた係止孔５１１４に係止している。底部には係止孔と対向する位置に、左右の側面板と平行する形で、排水孔５１１２が設けられ、かつ、その外側左右には、脚部５１１３が設けられ、確実に排水孔５１１２が脚部５１１３によって、置かれた設置面との間に隙間を形成し、排水孔から水等が流れ易くしている。
【００２４】
図６−４は、ホルダー蓋体５２の上方から見た平面図で、口栓押さえ突起板５２３と、その左右にバネ係止爪５２３１を有している。
さらに、その左右には周縁突起５２４があって、口栓押さえ突起板５２３および左右のバネ係止爪５２３１の近傍は周縁突起５２４が切り欠かれた状態になっている。
【００２５】
図７−１は、図６−１のＡ−Ａ断面図である。ホルダー蓋体５２の周縁内側の周縁突起５２４が、ホルダー本体５１の内側上端の斜面に挿嵌するように当接している。
【００２６】
図７−２は、図６−１のＢ−Ｂ断面図である。ホルダー本体５１の上面板５１５に設けられた口栓挿嵌部５１５１の先端には、係止可能な係止部５１５２が形成されている。
そして、ホルダー蓋体５２の上端には、弾性を有するＵの字状になっていて先端に鋭角の爪を持ったバネ係止爪５２３１が設けられている。
そして、バネ係止爪５２３１が係止部５１５２に挿嵌し、係止可能になっている。
【００２７】
図７−３は、図６−１のＣ−Ｃ断面図である。ホルダー蓋体５２の背面板５２１上端には、背面板に対して直交する方向に延設した口栓押さえ突起板５２３が形成されている。この口栓押さえ突起板５２３は、ホルダー本体５１の上面板５１５中央に設けられたコの字状の切り欠きからなる口栓挿嵌部５１５１先端の背面側を形成する形になっている。
口栓押さえ突起板５２３の中央内側には、口栓の２枚のフランジ部隙間に挿嵌し、口栓をロックしやすいように、薄く肉盗みをしている。同じように、上面板５１５の口栓挿嵌部５１５１近傍も、図のように薄く肉盗みをしても良い。
【００２８】
図７−４は、図６−１のＤ−Ｄ断面図である。ホルダー蓋体５２の背面板５２１の内側下端には、係止爪５２２が設けられている。また、ホルダー本体５１の底部５１１の背面側周縁近傍の左右に、係止孔５１１４が設けられている。
係止孔５１１４に、係止爪５２２が挿嵌し、係止している。
【００２９】
本発明の口栓に使用する材料は、直鎖状低密度ポリエチレン、中密度ポリエチレン、高密度ポリエチレン、ポリプロピレン、エチレン・酢酸ビニル共重合体などの樹脂単体、あるいはそれらを混合した熱可塑性で融着性の高い樹脂が使用できる。
これらは、射出成形金型を用い、一般的な射出成形機で量産できるので、生産性も高い。
【００３０】
本発明の包装袋に使用する積層フィルムや中間フィルムは、内面に直鎖状低密度ポリエチレン、中密度ポリエチレン、高密度ポリエチレン、エチレン・酢酸ビニル共重合体などの融着性の高い熱可塑性樹脂を使用し、基材として外側に、２軸延伸されたポリエチレンテレフタレート樹脂、２軸延伸ポリアミド樹脂、２軸延伸ポリプロピレン樹脂などの樹脂フィルムを積層した積層フィルムを使用することができる。
さらに、内面と基材の中間にアルミニウムなどの金属箔や、酸化珪素などの酸化金属を蒸着した蒸着層を積層しり、ポリアミドなどの可撓性の高い樹脂層を積層した積層フィルムを使用してもよい。
これらは、一般的なドライラミネーション機やエクストルーダーラミネーション機などによって製造できる。
【００３１】
本発明の包装容器は、以上のようなもので、ホルダー本体とホルダー蓋体とで、包装袋を完全に覆った状態に嵌合固定することができるので、安定して内容物を抽出することが出来、全体として、ボトルと同等の使用勝手が得られる。
しかも、ポンプディスペンサーを嵌め変えるだけで、内容物を注ぎ込んだりする必要が無いので、詰め替え操作で内容物をこぼしたりして、汚すことも無く、詰め替え操作は実に容易である。
さらに、内部に入り込んだ水分などは、傾斜面のある底部を有するホルダーなので、溜まらずに、逐次排水可能であると同時に、乾燥しやすい構造になっている。
当然、詰め替えの包装袋は、薄い積層フィルムから出来ているので、使用する樹脂も少なく、生産性が高く、かつ、環境にやさしい構成になっており、本発明のメリットは高い。
【符号の説明】
【００３２】
１・・・・・・・・包装容器
２・・・・・・・・包装袋
２１・・・・・・・前フィルム
２２・・・・・・・後フィルム
２３・・・・・・・中間フィルム
３・・・・・・・・口栓
３１・・・・・・・注出孔
３２・・・・・・・融着部
３２１・・・・・・肉盗み
３３・・・・・・・フランジ部
３４・・・・・・・雄ネジ部
４・・・・・・・・ポンプディスペンサー
４１・・・・・・・キャップ
４２・・・・・・・注出ノズル
４３・・・・・・・ポンプ筒
４４・・・・・・・吸引ホース
５・・・・・・・・ホルダー
５１・・・・・・・ホルダー本体
５１１・・・・・・底部
５１１１・・・・・傾斜部
５１１２・・・・・排水孔
５１１３・・・・・脚部
５１１４・・・・・係止孔
５１２・・・・・・正面板
５１３・・・・・・左側面板
５１４・・・・・・右側面板
５１５・・・・・・上面板
５１５１・・・・・口栓挿嵌部
５１５２・・・・・係止部
５２・・・・・・・ホルダー蓋体
５２１・・・・・・背面板
５２２・・・・・・係止爪
５２３・・・・・・口栓押さえ突起板
５２３１・・・・・バネ係止爪
５２４・・・・・・周縁突起
【図１】
2018203287.tif 000003
【図２】
2018203287.tif 000004
【図３】
2018203287.tif 000005
【図４】
2018203287.tif 000006
【図５】
2018203287.tif 000007
【図６】
2018203287.tif 000008
【図７】
2018203287.tif 000009